(57)【特許請求の範囲】
【請求項１】
座と、前記座の巾方向両側をそれぞれ対をなして支持する第１、第２の脚フレームとを具備してなり、これら第１、第２の脚フレームを巾方向に変位して位置するように設けてなる椅子において、
第１の脚フレームが、前記座の一端部側を正逆方向に回転可能に支持し、前記第２の脚フレームが、前記第１の脚フレームに正逆方向に回転可能に連結されているとともに前記座の他端部側を正逆方向に回転可能に支持するものであり、前記第１の脚フレーム・第２の脚フレーム・座の相対回転によって使用状態から前記第１、第２の脚フレームが略面一をなす折り畳み状態に折り畳めるように構成されているとともに、
前記座が、少なくとも座の巾方向両側に対をなして配置した張地取付部間に張地を張った状態で取り付けて構成されるものであり、前記張地取付部が少なくとも座の厚み方向に略沿って延びる面部を有する壁体たる左右側壁を有し後方に開口した本体と、この本体の後端側の上面に取り付けてなる後壁体とを具備してなり、この本体を前記第１、第２の脚フレーム間に位置させているとともに、前記後壁体が、座の巾方向に沿った面部を有するとともに全体が本体の左右側壁の上端よりも上方に位置する左右端部と座の厚み方向に略沿った面部を有する中央部とを具備するとともに、薄板状部材のこれら左右端部を構成する面部と中央部を構成する面部とが略直交するように面部同士を相対的にねじって形成してなり、折り畳み状態で前記左右側壁間に配置した第１又は第２の脚フレームが後壁体の左右端部の下方に位置するようにしていることを特徴とする椅子。
【請求項２】
張地取付部が、前記壁体と対向して位置する対向壁体と、前記壁体と対向壁体同士を連結するように座の巾方向に略沿って延びる面部を有する水平壁体とから構成される横断面略コ字形状をなしているものであることを特徴とする請求項１記載の椅子。
【発明の詳細な説明】
【０００１】
【発明の属する技術分野】
本発明は、張地の張力をクッション代わりに利用するような椅子に関するものである。
【０００２】
【従来の技術】
従来から、学校やオフィス等で利用されている椅子として、金属製の丸パイプ部材で形成した前後脚フレームと、これら前後脚フレームにその前後端部を正逆方向に回転可能に支持された座とを具備してなり、前記前後脚フレーム・座の相対回転によって使用状態から前記前後脚フレームが略面一をなす折り畳み状態に折り畳めるよう構成されているものがある。
【０００３】
そして、この種の折り畳み椅子では、通常、着座する位置に取り付ける座本体をクッション部材をカバーで覆ったものにより構成し、この座本体の下面を平面視ロ字形状をなす座受部により支持するようにしている。この座受部は、前記前後脚フレームと同様に丸パイプ部材で構成されている。
【０００４】
【発明が解決しようとする課題】
ところで、近年、座受部により形成される開口に張地を張った状態で取り付けてその張力をクッション代わりに利用している椅子がある。
【０００５】
前述した折り畳み椅子の分野でも、椅子の軽量化を図ったり、デザイン性を向上させるべく、張地を座受部により形成される開口に張って座を構成することが考えられる。張地の張力をクッション代わりに利用する場合には、張地の両縁部を支持する座受部間の離間距離がより大きい方が、撓み巾を大きく持たせてクッション性を向上させることが可能となる。しかしながら、従来の座受部を構成する丸パイプ部材は、前後脚フレームの離間距離をより小さくして見栄えを良好にしたり、折り畳み状態での前後脚フレームと座受部との干渉を防止したりする関係上、前後両脚フレームの内方側に位置させるしかなく、座面の巾寸法をより大きく確保することは難しいものであった。
【０００６】
【課題を解決するための手段】
上記の問題点を解決するために、本発明は、座と、前記座の巾方向両側をそれぞれ対をなして支持する第１、第２の脚フレームとを具備してなり、これら第１、第２の脚フレームを巾方向に変位して位置するように設けてなる椅子において、第１の脚フレームが、前記座の一端部側を正逆方向に回転可能に支持し、前記第２の脚フレームが、前記第１の脚フレームに正逆方向に回転可能に連結されているとともに前記座の他端部側を正逆方向に回転可能に支持するものであり、前記第１の脚フレーム・第２の脚フレーム・座の相対回転によって使用状態から前記第１、第２の脚フレームが略面一をなす折り畳み状態に折り畳めるように構成されているとともに、前記座が、少なくとも座の巾方向両側に対をなして配置した張地取付部間に張地を張った状態で取り付けて構成されるものであり、前記張地取付部が少なくとも座の厚み方向に略沿って延びる面部を有する壁体たる左右側壁を有し後方に開口した本体と、この本体の後端側の上面に取り付けてなる後壁体とを具備してなり、この本体を前記第１、第２の脚フレーム間に位置させているとともに、前記後壁体が、座の巾方向に沿った面部を有するとともに全体が本体の左右側壁の上端よりも上方に位置する左右端部と座の厚み方向に略沿った面部を有する中央部とを具備するとともに、薄板状部材のこれら左右端部を構成する面部と中央部を構成する面部とが略直交するように面部同士を相対的にねじって形成してなり、折り畳み状態で前記左右側壁間に配置した第１又は第２の脚フレームが後壁体の左右端部の下方に位置するようにしている。
【０００７】
前述したような張地取付部に張地を取り付けてその張力をクッション代わりに利用している座の場合には、張地の両縁部を取り付けている対をなす張地取付部間の離間距離をより大きくして、張地により大きな撓み巾を持たせてクッション性を向上させることが望ましい。本発明のような構成であると、第１、第２の脚フレーム間に張地取付部を介在させることができるため、その構造上、両脚フレームの内方側に張地取付部である座受部を設けていた従来のものに比べて、座の巾寸法をより大きく確保することができる。したがって、張地により大きな撓み巾を持たせ、クッション性を向上させることが可能となる。
【０００８】
また、第１の脚フレームが、前記座の一端部側を正逆方向に回転可能に支持し、前記第２の脚フレームが、前記第１の脚フレームに正逆方向に回転可能に連結されているとともに前記座の他端部側を正逆方向に回転可能に支持するものであり、前記第１の脚フレーム・第２の脚フレーム・座の相対回転によって使用状態から前記第１、第２の脚フレームが略面一をなす折り畳み状態に折り畳めるように構成されているので、折り畳んで持ち運んだりする機会が多い折り畳み椅子に、前述した張地や張地取付部を利用することにより、その軽量化を図ることができる。
【０００９】
張地取付部の強度を向上させるとともに、張地の安定支持を図るには、張地取付部が、前記壁体と対向して位置する対向壁体と、前記壁体と対向壁体同士を連結するように座の巾方向に沿って設けた水平壁体とから構成される横断面略コ字形状をなしていることが望ましい。
【００１０】
【発明の実施の形態】
以下、本発明の一実施の形態について図面を参照して説明する。
【００１１】
本実施例の折り畳み椅子１は、図１に示すように、座４の後端部側を第一軸１ａを介して正逆方向に回転可能に支持する第１の脚フレームたる前脚フレーム２と、前記前脚フレーム２の内側に第三軸１ｃを介して回転可能に取り付けてなるとともに座４の前端部側を第二軸１ｂを介して正逆方向に回転可能に支持する第２の脚フレームたる後脚フレーム３とを具備してなるもの、すなわち、前脚フレーム２・後脚フレーム３・座４とを第一軸１ａ・第二軸１ｂ・第三軸１ｃを介してそれぞれ正逆方向に回転可能に連結したもので、図３中実線に示す使用状態Ｐから、前脚フレーム２の内側面と後脚フレーム３の外側面とが対向する位置で前脚フレーム２と後脚フレーム３とが略面一をなす図３中想像線に示す折り畳み状態Ｑに折り畳めるよう構成したものである。なお、この折り畳み椅子１は、折り畳み状態Ｑでは、図４に示すように、他の同一形状の折り畳み椅子１とともに、前面側を下として上下方向に積み上げることができるものである。
【００１２】
前脚フレーム２は、スチール丸パイプ製の略Ｕ字形状のもので、上端部側に背もたれ２１を有している。
【００１３】
後脚フレーム３は、スチール丸パイプ製の略Ｕ字形状のもので、前記前脚フレーム２の内側に側面視Ｘ字形状となるように交差させて第三軸１ｃを介して前記前脚フレーム２に対して相対的に回転可能となるように連結している。なお、本実施の形態では、前脚フレーム２に対して後脚フレーム３を回転可能に支持する前記第三軸１ｃを具備する回転支持体５を前記後脚フレーム３の外側にスライド移動可能に取り付けることにより、使用状態Ｐと折り畳み状態Ｑとの間で座４、前後脚フレーム２、３を回転させる場合に生じる後脚フレーム３と座４の回転中心と前脚フレーム２と後脚フレーム３の回転中心との間の変位を吸収するようにしている。
【００１４】
座４は、図２に示すように、中央に開口を有してなる平面視略ロ字形状の張地取付部たる座受部６と、この座受部６の開口内に張った状態で取り付けてなる張地７と、前記張地７を取り付けた前記座受部６の外周を被覆する平面視略ロ字形状で合成樹脂製の座枠部８とを具備してなるものである。なお、図５では、前記張地７及び座枠部８を省略している。この張地７は、ネット素材により構成されており、その縁部を前記座受部６に巻き付けてビス等の取付具を利用して取り付けるか、或いは前記座受部６に熱溶着により固定するか等の適宜の手段によって適度にテンションをかけた状態で取り付けられている。
【００１５】
座受部６は、図２に示すように、座４の厚み方向に略沿った面部を有する薄板状部材を略Ｕ字形状に折り曲げ成形した座受部本体６１と、座４の巾方向に略沿った面部を有する薄板状部材を略Ｕ字形状に折り曲げ成形して前記座受部本体６１の上面に適宜の手段で取り付けた水平壁体６２と、前記座受部本体６１の後端側に取り付けた後壁体６３とを具備している。前記後壁体６３は、前記座受部本体６１の後端側の上面に溶接等の適宜の手段を利用して取り付けたもので、座４の巾方向に略沿った面部を有する左右端部６３１と、座４の厚み方向に略沿った面部を有する中央部６３２とを具備してなる。この後壁体６３は、薄板状部材の左右端部６３１を構成する面部と中央部６３２を構成する面部とが略直交するように面部同士を相対的にねじって形成したものである。このように左右端部６３１を巾方向に略沿った面部とすることにより切欠等を設ける場合に比べて強度を損なうことなく折り畳み状態Ｑでの後脚フレーム３との干渉を防止し得るとともに、中央部６３２を厚み方向に略沿った面部とすることにより、荷重による撓みを防止することが可能となる。
【００１６】
上記構成の座受部６と張地７と座枠部８とを利用して、前記座４を構成する場合には、前記張地７の縁部を前記座受部６に巻き付けてビス等の取付具を利用して取り付けるか、或いは前記座受部６に熱溶着により固定するか等の適宜の手段によって適度にテンションをかけた状態で取り付け、しかる後、上方から前記座枠部８を座４の外周を被覆するように被せてビス止め等の適宜の手段で固定する。
【００１７】
このような構成のものにおいて、本実施の形態の折り畳み椅子１の座４は、前述したように、張地７の縁部を座受部６に形成される開口内に張った状態で取り付けて構成されるものであり、前記張地７の張力をクッション代わりに利用している。そして、図５及び図６に示すように、前記座受部本体６１が座４の厚み方向に沿った壁体たる左右側壁６１１を具備してなり、この左右側壁６１１を前記前脚フレーム２と後脚フレーム３の間に位置させているものである。
【００１８】
具体的に説明すると、前記座受部本体６１は、座４の厚み方向に略沿った面部を有する左右一対の薄板状の左右側壁６１１と、これら左右側壁６１１を連結する座４の厚み方向に略沿った面部を有する前壁６１２とを具備してなるものである。そして、前記左右側壁６１１を前記前脚フレーム２と後脚フレーム３の間に位置させている。
【００１９】
このように座受部６に張地７を取り付けてその張力をクッション代わりに利用している座４の場合には、張地７の両縁部を取り付けている対向する座受部要素間の離間距離をより大きくして、張地７により大きな撓み巾を持たせてクッション性を向上させることが望ましい。特に、この種の折り畳み椅子１では、座４の巾方向にそれぞれ対をなす前後脚フレーム２、３が存在しているため、巾寸法をより大きく確保することが難しい。しかしながら、上述したような本実施の形態の構成であると、前後脚フレーム２、３間に座４の左右縁部を構成する座受部６の左右側壁６１１を介在させているので、両脚フレーム２、３の内方側に座受部の左右縁部を設けていた従来のものに比べて、座４の巾寸法をより大きく確保することができる。したがって、張地７により大きな撓み巾を持たせ、座４のクッション性を向上させることが可能となる。
【００２０】
前脚フレーム２が、前記座４の前端部側を正逆方向に回転可能に支持し、後脚フレーム３が、前記前脚フレーム２に正逆方向に回転可能に連結されているとともに前記座４の後端部側を正逆方向に回転可能に支持するものであり、前記前脚フレーム２・後脚フレーム３・座４の相対回転によって使用状態Ｐから前記前後脚フレーム２、３が略面一をなす折り畳み状態Ｑに折り畳めるように構成されているので、前述した張地７や座受部６を利用することにより椅子全体の軽量化を図り、折り畳んで持ち運んだりする機会が多い折り畳み椅子１の使い勝手を良好なものとすることが可能である。
【００２１】
なお、本発明における構成は、以上説明したものに限定されないのは勿論である。例えば、本実施の形態では、座受部６が、前記前脚フレーム２と後脚フレーム３の間に位置する左右側壁６１１を有しているものであったが、これに限定されず、座受部が、前記左右側壁と対向して位置する内左右側壁と、これら左右側壁と内左右側壁同士を連結するように座の巾方向に沿って設けた頂壁とから構成される横断面略コ字形状をなしているものであってもよい。このような構成のものであると、着座者の荷重を受けることになる座受部の横断面形状を略コ字形状にしてその強度を向上させることができる。また、頂壁の存在により張地にかかる荷重を座受部で支持する支持面積をより大きく確保することができるため、張地に無理な力がかかることによる破損等を有効に防止することができる。
【００２２】
その他の構成も本発明の趣旨を逸脱しない範囲で種々変形が可能である。
【００２３】
【発明の効果】
本発明は、以上説明したような構成で実施され以下に記載されるような効果を奏する。
【００２４】
すなわち、本発明は、前記座が、少なくとも座の巾方向に対をなして配置した張地取付部間に張地の縁部を張った状態で取り付けて構成されるものであり、前記張地取付部が少なくとも座の厚み方向に略沿って延びる面部を有する壁体たる左右側壁を有する本体と、この本体の後端側の上面に取り付けてなる後壁体とを具備してなり、この本体を前記第１、第２の脚フレーム間に位置させているとともに、前記後壁体が、座の巾方向に沿った面部を有する左右端部を具備してなるので、両脚フレームの内方側に張地取付部である座受部を設けていた従来のものに比べて、座の巾寸法をより大きく確保することができる。したがって、張地で座面を形成する場合に、前記張地により大きな撓み巾を持たせ、座のクッション性を向上させることが可能となる。
【００２５】
また、第１の脚フレームが、前記座の一端部側を正逆方向に回転可能に支持し、前記第２の脚フレームが、前記第１の脚フレームに正逆方向に回転可能に連結されているとともに前記座の他端部側を正逆方向に回転可能に支持するものであり、前記第１の脚フレーム・第２の脚フレーム・座の相対回転によって使用状態から前記第１、第２の脚フレームが略面一をなす折り畳み状態に折り畳めるように構成されているので、折り畳んで持ち運んだりする機会が多い折り畳み椅子に、前述した張地や張地取付部を利用することにより、その軽量化を図ることができる。
【００２６】
張地取付部が、前記壁体と対向して位置する対向壁体と、前記壁体と対向壁体同士を連結するように座の巾方向に沿って設けた水平壁体とから構成される横断面略コ字形状をなしているものであるならば、着座者の荷重を受けることになる張地取付部を略コ字形状にしてその強度を向上させることができる。また、水平壁体により張地にかかる荷重を座受部で支持する支持面積をより大きく確保することができるため、張地に無理な力がかかることによる破損等を有効に防止することができる。
【図面の簡単な説明】
【図１】本発明の一実施の形態を示す全体斜視図。
【図２】同分解斜視図。
【図３】同椅子の使用状態及び折り畳み状態を示す側面図。
【図４】同折り畳み状態で複数の椅子を積み上げた状態を示す側面図。
【図５】同要部を下方から見た状態を示す斜視図。
【図６】同正断面図。
【符号の説明】
１…折り畳み椅子
２…第１の脚フレーム（前脚フレーム）
３…第２の脚フレーム（後脚フレーム）
４…座
６…座受部
６１１…壁体（左右側壁）
７…張地
Ｐ…使用状態
Ｑ…折り畳み状態
【図１】
0004557408.tif 000002
【図２】
0004557408.tif 000003
【図３】
0004557408.tif 000004
【図４】
0004557408.tif 000005
【図５】
0004557408.tif 000006
【図６】
0004557408.tif 000007